【手続補正書】
【提出日】平成29年6月27日(2017.6.27)
【手続補正１】
【補正対象書類名】特許請求の範囲
【補正対象項目名】全文
【補正方法】変更
【補正の内容】
【特許請求の範囲】
【請求項１】
可変表示を実行し、遊技者にとって有利な有利状態に制御可能な遊技機であって、
未だ開始していない可変表示に関する情報を保留情報として記憶可能な保留記憶手段と、
可変表示を実行する可変表示実行手段と、
前記保留記憶手段が記憶する前記保留情報に対応する保留表示を表示する保留表示手段と、
前記保留表示手段が表示する前記保留表示の表示態様を制御する表示態様制御手段と、を備え、
前記表示態様制御手段は、前記保留表示手段が表示する前記保留表示の表示態様を変化させることが可能であり、
前記保留表示の表示態様には、通常態様と、前記通常態様とは異なる特殊態様と、前記通常態様及び前記特殊態様とは異なる態様であって、前記有利状態になる割合を予告する予告態様と、が含まれ、
前記予告態様として、前記有利状態となる期待度の高い特別予告態様があり、
前記特別予告態様は、複数タイミングのうちのいずれかのタイミングで表示され、該タイミングにより表示される割合が異なり、
前記表示態様制御手段は、
前記保留表示手段が表示する前記保留表示の表示態様が前記通常態様であるときよりも前記特殊態様であるときの方が当該保留表示の表示態様を前記予告態様に変化させる割合が高くなるように、前記保留表示の表示態様を前記予告態様に変化させ、
前記保留表示手段が表示する前記保留表示の表示態様を複数タイミングのうちのいずれかで前記特殊態様にし、当該保留表示の表示態様を前記複数タイミングのうちの第１のタイミングで前記特殊態様にするときと前記第１のタイミングよりも遅い第２のタイミングで前記特殊態様に変化させるときとで前記有利状態になる割合が異なるように、前記保留表示の表示態様を制御する、
ことを特徴とする遊技機。
【手続補正２】
【補正対象書類名】明細書
【補正対象項目名】０００７
【補正方法】変更
【補正の内容】
【０００７】
（Ａ）上記目的を達成するための遊技機は、
可変表示を実行し、遊技者にとって有利な有利状態に制御可能な遊技機であって、
未だ開始していない可変表示に関する情報を保留情報として記憶可能な保留記憶手段と、
可変表示を実行する可変表示実行手段と、
前記保留記憶手段が記憶する前記保留情報に対応する保留表示を表示する保留表示手段と、
前記保留表示手段が表示する前記保留表示の表示態様を制御する表示態様制御手段と、を備え、
前記表示態様制御手段は、前記保留表示手段が表示する前記保留表示の表示態様を変化させることが可能であり、
前記保留表示の表示態様には、通常態様と、前記通常態様とは異なる特殊態様と、前記通常態様及び前記特殊態様とは異なる態様であって、前記有利状態になる割合を予告する予告態様と、が含まれ、
前記予告態様として、前記有利状態となる期待度の高い特別予告態様があり、
前記特別予告態様は、複数タイミングのうちのいずれかのタイミングで表示され、該タイミングにより表示される割合が異なり、
前記表示態様制御手段は、
前記保留表示手段が表示する前記保留表示の表示態様が前記通常態様であるときよりも前記特殊態様であるときの方が当該保留表示の表示態様を前記予告態様に変化させる割合が高くなるように、前記保留表示の表示態様を前記予告態様に変化させ、
前記保留表示手段が表示する前記保留表示の表示態様を複数タイミングのうちのいずれかで前記特殊態様にし、当該保留表示の表示態様を前記複数タイミングのうちの第１のタイミングで前記特殊態様にするときと前記第１のタイミングよりも遅い第２のタイミングで前記特殊態様に変化させるときとで前記有利状態になる割合が異なるように、前記保留表示の表示態様を制御する、
ことを特徴とする。
（１）上記目的を達成するための他の態様の遊技機は、
遊技領域に設けられた始動領域（例えば、第１始動入賞口や第２始動入賞口など）に遊技媒体（例えば、遊技球など）が進入した後に識別情報（例えば、特別図柄や飾り図柄など）の可変表示を開始することを許容する開始条件が成立したことに基づいて識別情報の可変表示を実行して表示結果を導出し、当該表示結果として予め定められた特定表示結果（例えば、大当り図柄となる特別図柄や大当り組合せの確定飾り図柄など）を導出したときに、遊技者にとって有利な特定遊技状態（例えば、大当り遊技状態など）になる遊技機（例えば、パチンコ遊技機１など）であって、
前記始動領域に前記遊技媒体が進入したにもかかわらず前記開始条件が成立していない識別情報の可変表示について保留情報を記憶する保留記憶手段（例えば、第１特図保留記憶部及び第２特図保留記憶部など）と、
前記開始条件が成立した識別情報の可変表示に対応する前記保留情報に基づいて識別情報の可変表示を実行する可変表示実行手段（例えば、ステップＳ１１２、Ｓ１１３の処理を行うＣＰＵ１０３やステップＳ１７１、Ｓ１７２の処理を行う演出制御用ＣＰＵ１２０など）と、
前記保留記憶手段が記憶する前記保留情報に対応して保留表示領域（例えば、第１保留表示領域５Ｈａや第２保留表示領域５Ｈｂなど）に特定表示（例えば、保留表示図柄など）を表示する保留表示手段（例えば、第１保留表示領域５Ｈａや第２保留表示領域５Ｈｂに保留表示図柄を表示する画像表示装置５など）と、
前記保留表示手段が表示する前記特定表示の表示態様を制御する表示態様制御手段（例えば、保留表示図柄の表示色を制御する演出制御用ＣＰＵ１２０など）と、を備え、
前記表示態様制御手段は、前記保留表示手段が表示する前記特定表示の表示態様を現在の表示態様から他の表示態様に変化させ（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる態様であって、前記特定遊技状態になる割合を予告する予告態様（例えば、黄色、緑色、赤色、及び、虹色など）と、が含まれ、
前記表示態様制御手段は、
前記保留表示手段が表示する前記特定表示の表示態様が前記通常態様であるときよりも前記特殊態様であるときの方が当該特定表示の表示態様を前記予告態様に変化させる割合が高くなるように、前記特定表示の表示態様を前記予告態様に変化させ（例えば、図２５〜図４４の各保留表示パターン決定テーブルにおいて、青色から予告態様の表示色に変化するパターンを含む保留表示パターンの決定割合の合計値（又は平均値）よりも、灰色又は白色から予告態様の表示色に変化する態様を含む保留表示パターンの決定割合の合計値（又は平均値）それぞれの方が高くなるようにするなど）、
前記保留表示手段が表示する前記特定表示の表示態様を複数タイミングのうちのいずれかで前記特殊態様にし、当該特定表示の表示態様を前記複数タイミングのうちの第１のタイミングで前記特殊態様にするときと前記第１のタイミングよりも遅い第２のタイミングで前記特殊態様に変化させるときとで前記特定遊技状態になる割合が異なるように、前記特定表示の表示態様を制御する（例えば、構成１８など）、
ことを特徴とする。
【手続補正３】
【補正対象書類名】明細書
【補正対象項目名】０００９
【補正方法】変更
【補正の内容】
【０００９】
（２）上記目的を達成するため、さらに他の態様に係る遊技機は、
遊技領域に設けられた始動領域（例えば、第１始動入賞口や第２始動入賞口など）に遊技媒体（例えば、遊技球など）が進入した後に識別情報（例えば、特別図柄や飾り図柄など）の可変表示を開始することを許容する開始条件が成立したことに基づいて識別情報の可変表示を実行して表示結果を導出し、当該表示結果として予め定められた特定表示結果（例えば、大当り図柄となる特別図柄や大当り組合せの確定飾り図柄など）を導出したときに、遊技者にとって有利な特定遊技状態（例えば、大当り遊技状態など）になる遊技機（例えば、パチンコ遊技機１など）であって、
前記始動領域に前記遊技媒体が進入したにもかかわらず前記開始条件が成立していない識別情報の可変表示について保留情報を記憶する保留記憶手段（例えば、第１特図保留記憶部及び第２特図保留記憶部など）と、
前記開始条件が成立した識別情報の可変表示に対応する前記保留情報に基づいて識別情報の可変表示を実行する可変表示実行手段（例えば、ステップＳ１１２、Ｓ１１３の処理を行うＣＰＵ１０３やステップＳ１７１、Ｓ１７２の処理を行う演出制御用ＣＰＵ１２０など）と、
前記保留記憶手段が記憶する前記保留情報に対応して保留表示領域（例えば、第１保留表示領域５Ｈａや第２保留表示領域５Ｈｂなど）に特定表示（例えば、保留表示図柄など）を表示する保留表示手段（例えば、第１保留表示領域５Ｈａや第２保留表示領域５Ｈｂに保留表示図柄を表示する画像表示装置５など）と、
実行中の識別情報の可変表示に対応して今回表示領域（例えば、今回表示領域５Ｈｃなど）に前記特定表示を表示する今回表示手段（例えば、保留表示領域５Ｈｃに保留表示図柄を表示する画像表示装置５など）と、
前記保留表示手段及び前記今回表示手段が表示する前記特定表示の表示態様を制御する表示態様制御手段（例えば、保留表示図柄の表示色を制御する演出制御用ＣＰＵ１２０など）と、を備え、
前記表示態様制御手段は、前記保留表示手段及び前記今回表示手段が表示する前記特定表示の表示態様を現在の表示態様から他の表示態様に変化させ（例えば、保留表示図柄の表示色を変化させるなど）、
前記特定表示の表示態様には、通常態様（例えば、青色など）と、前記通常態様とは異なる特殊態様（例えば、白色及び灰色など）と、前記通常態様及び前記特殊態様とは異なる態様であって、前記特定遊技状態になる割合を予告する予告態様（例えば、黄色、緑色、赤色、及び、虹色など）と、が含まれ、
前記表示態様制御手段は、
前記保留表示手段及び前記今回表示手段が表示する前記特定表示の表示態様が前記通常態様であるときよりも前記特殊態様であるときの方が当該特定表示の表示態様を前記予告態様に変化させる割合が高くなるように、前記特定表示の表示態様を前記予告態様に変化させ（例えば、各全期間保留表示パターン決定テーブルにおいて、青色から予告態様の表示色に変化するパターンを含む全期間保留表示パターンの決定割合の合計値（又は平均値）よりも、灰色又は白色から予告態様の表示色に変化する態様を含む全期間保留表示パターンの決定割合の合計値（又は平均値）それぞれの方が高くなるようにするなど）、
前記保留表示手段及び前記今回表示手段が表示する前記特定表示の表示態様を複数タイミングのうちのいずれかで前記特殊態様にし、当該特定表示の表示態様を前記複数タイミングのうちの第１のタイミングで前記特殊態様にするときと前記第１のタイミングよりも遅い第２のタイミングで前記特殊態様に変化させるときとで前記特定遊技状態になる割合が異なるように、前記特定表示の表示態様を制御する（例えば、構成１８など）、
ことを特徴とする。